(57)【特許請求の範囲】
【請求項１】
複数の特定の温熱環境下での気温、平均輻射温度、風速から、電子式ＷＢＧＴ計の任意径の黒球温度を、それぞれの特定の温熱環境について求めるステップ、
前記複数の特定の温熱環境下での気温、平均輻射温度、風速から、ＩＳＯ準拠ＷＢＧＴ計の標準径の黒球温度を、それぞれの特定の温熱環境について求めるステップ、
前記複数の特定の温熱環境下での気温、平均輻射温度、風速と相対湿度から、ＩＳＯ準拠ＷＢＧＴ計の自然湿球温度を、それぞれの特定の温熱環境について求めるステップ、
前記複数の特定の温熱環境下での気温、任意径の黒球温度、相対湿度を入力とし、対応する標準径の黒球温度、自然湿球温度を出力とするデータ群に基づいて当該入力と出力の間の相関関係を決定するステップ、
を備えたことを特徴とする電子式ＷＢＧＴ計の測定値とＩＳＯ準拠ＷＢＧＴ計の測定値を関連付ける方法。
【請求項２】
前記相関関係が、前記入力と出力のデータ群を教師データとして学習することによって決定される請求項１に記載の電子式ＷＢＧＴ計の測定値とＩＳＯ準拠ＷＢＧＴ計の測定値を関連付ける方法。
【請求項３】
前記相関関係が、前記入力と出力のデータ群の間に成立する近似式を決定する請求項１に記載の電子式ＷＢＧＴ計の測定値とＩＳＯ準拠ＷＢＧＴ計の測定値を関連付ける方法。
【請求項４】
前記請求項１〜３のいずれかの方法に基づいて得られた相関関係に基づいて、現実の電子式ＷＢＧＴ計が測定した気温、任意径の黒球温度、相対湿度からＩＳＯ準拠ＷＢＧＴ計の標準径の黒球温度、自然湿球温度を得るステップ、
を備えたことを特徴とする電子式ＷＢＧＴ計の出力方法。
【請求項５】
前記気温およびＩＳＯ準拠ＷＢＧＴ計の標準径の黒球温度、自然湿球温度から、ＷＢＧＴ指数を演算するステップを備えた請求項４に記載の電子式ＷＢＧＴ計の出力方法。
【請求項６】
気温計、任意径の黒球温度計、相対湿度計を備えた電子式ＷＢＧＴ計において、
複数の特定の温熱環境下での気温、平均輻射温度、風速から、電子式ＷＢＧＴ計の任意径の黒球温度をそれぞれの特定の温熱環境について得る第１の演算手段と、
前記複数の特定の温熱環境下での気温、平均輻射温度、風速から、ＩＳＯ準拠ＷＢＧＴ計の標準径の黒球温度をそれぞれの特定の温熱環境について得る第２の演算手段と、
前記複数の特定の温熱環境下での気温、平均輻射温度、風速、相対湿度から、自然湿球温度をそれぞれの特定の温熱環境について得る第３の演算手段と、
前記複数の特定の温熱環境下での気温、任意径の黒球温度、相対湿度を入力とし、対応する標準径の黒球温度、自然湿球温度を出力とするデータ群に基づいて、当該入力と出力の間の相関関係を決定する相関関係決定手段、
を備えたことを特徴とする電子式ＷＢＧＴ計の測定値とＩＳＯ準拠ＷＢＧＴ計の測定値の関連付け装置。
【請求項７】
相関関係決定手段が、前記入力と出力のデータ群を学習することによって、前記相関関係が決定される請求項６に記載の電子式ＷＢＧＴ計の測定値とＩＳＯ準拠ＷＢＧＴ計の測定値の関連付け装置。
【請求項８】
相関関係決定手段が、前記入力と出力のデータ群の間に成立する近似式を決定する請求項６に記載の電子式ＷＢＧＴ計の測定値とＩＳＯ準拠ＷＢＧＴ計の測定値の関連付け装置。
【請求項９】
請求項６〜８のいずれかに記載の関連付け装置で形成された相関関係に基づいて、現実の温熱環境下での気温、任意径の黒球温度、相対湿度から標準径の黒球温度、湿球温度を求める測定演算部材を備えたことを特徴とするＷＢＧＴ計。
【請求項１０】
前記標準径の黒球温度、湿球温度、気温に基づいてＷＢＧＴ指数を計算するＷＢＧＴ演算手段を備えた請求項９に記載のＷＢＧＴ計。
【請求項１１】
気温計、任意径の黒球温度計、相対湿度計を備えた電子式ＷＢＧＴ計において、
複数の特定の温熱環境下での気温、平均輻射温度、風速から、それぞれの特定の温熱環境について得られる電子式ＷＢＧＴ計の任意径の黒球温度と、前記気温と、相対湿度のデータ群を電子式ＷＢＧＴ計測のデータ群とし、
前記複数の特定の温熱環境下での気温、平均輻射温度、風速から、それぞれの特定の温熱環境について得られるＩＳＯ準拠ＷＢＧＴ計の標準径の黒球温度と、前記複数の特定の温熱環境下での気温、平均輻射温度、風速、相対湿度から、それぞれの特定の温熱環境について得られる自然湿球温度のデータ群をＩＳＯ準拠ＷＢＧＴ計測のデータ群とし、
前記電子式ＷＢＧＴ計測のデータ群とＩＳＯ準拠ＷＢＧＴ計測のデータ群との間の相関関係を記憶し、現実の温熱環境下での気温と、任意径の黒球温度と、相対湿度を入力し、ＩＳＯ準拠ＷＢＧＴ計の標準径の黒球温度と自然湿球温度を得る測定演算部材、
を備えたことを特徴とする電子式ＷＢＧＴ計。
【請求項１２】
相関関係決定手段が、前記入力と出力のデータ群を学習することによって、前記相関関係が決定される請求項１１記載の電子式ＷＢＧＴ計。
【請求項１３】
相関関係決定手段が、前記入力と出力のデータ群の間に成立する近似式を決定する請求項１１に記載の電子式ＷＢＧＴ計。
【請求項１４】
更に、前記測定演算部材の出力する標準径の黒球温度と自然湿球温度と気温に基づいてＷＢＧＴ指数を演算するＷＢＧＴ演算手段を
備えた請求項１１〜１３のいずれかに記載する電子式ＷＢＧＴ計。
【請求項１５】
複数の特定の温熱環境下での気温、平均輻射温度、風速から、それぞれの特定の温熱環境について得られる電子式WBGT計の任意径の黒球温度と、前記気温と、相対湿度のデータ群を電子式WBGT計測のデータ群とし、
前記複数の特定の温熱環境下での気温、平均輻射温度、風速から、それぞれの特定の温熱環境について得られるISO準拠WBGT計の標準径の黒球温度と、前記複数の特定の温熱環境下での気温、平均輻射温度、風速、相対湿度から、それぞれの特定の温熱環境について得られる自然湿球温度のデータ群をISO準拠WBGT計測のデータ群とし、
前記電子式WBGT計測のデータ群とISO準拠WBGT計測のデータ群との間の相関関係を記憶し、現実の温熱環境下での気温と、任意径の黒球温度と、相対湿度を入力し、
ISO準拠WBGT計の標準径の黒球温度と自然湿球温度を得ることを特徴とする測定演算部材。
【請求項１６】
前記相関関係が、前記電子式WBGT計測のデータ群とISO準拠WBGT計測のデータ群を学習することによって決定される請求項１５記載の測定演算部材。
【請求項１７】
前記相関関係が、前記電子式WBGT計測のデータ群とISO準拠WBGT計測のデータ群の間に成立する近似式を得ることによって決定する請求項１５に記載の測定演算部材。
【発明の詳細な説明】
【技術分野】
【０００１】
本発明は電子式ＷＢＧＴ計の出力方法および電子式ＷＢＧＴ計に関し、特に、風速と平均輻射温度の影響を反映したＷＢＧＴ指数を得る電子式ＷＢＧＴ計の出力方法および電子式ＷＢＧＴ計に関するものである。
【背景技術】
【０００２】
温熱環境を評価する指数としてＷＢＧＴ指数があり、この値が所定値以上であると熱中症の危険性が高いとするものである。ＷＢＧＴ指数を算出するについては、ＩＳＯに準拠するＷＢＧＴ計より得られる気温ta（乾球温度）、自然湿球温度tw、標準径（150mm）の黒球温度tgが用いられ、日射の影響のあるなしによって下記のように２様の計算式によって求められる。
【０００３】
日射の影響のある場合：WBGT=0.7×tw＋0.2×tg＋0.1×ta・・・（１０）
日射の影響のない場合：WBGT=0.7×tw＋0.3×tg         ・・・（１１）
ＩＳＯ準拠のＷＢＧＴ計は、上記の計算ができるように、自然湿球温度計、標準径の黒球を備えた黒球温度計、乾球温度計（気温計）が備えられ、各温度が測定できるようになっている。
【０００４】
ところで、ＩＳＯ準拠のＷＢＧＴ計は、上記のように150mmの標準径黒球を使用し、自然湿球温度計を備えるとことから、高価となり、また自然湿球温度計は水分補給の必要性から取り扱い難いことから、温熱環境（特に暑熱環境）での運動や作業をするについて、簡単にＷＢＧＴ指数が測定できる電子式ＷＢＧＴ計が開発されている。
【０００５】
電子式ＷＢＧＴ計では、前記ＩＳＯ準拠のＷＢＧＴ計に使われる湿球温度計に代えて例えば特開2011−192247に開示するように電子式の相対湿度センサーを使用し、相対湿度と気温から自然湿球温度を計算するようにしている。また150mmの標準径黒球では携帯性に欠けることから、例えば3556192号特許に開示するように、直径の小さい任意径の黒球から得られる温度を、標準径黒球の温度に換算するようにしている。
【先行技術文献】
【特許文献】
【０００６】
【特許文献１】特許3556192号公報
【特許文献２】特開2011-192247号公報
【発明の概要】
【発明が解決しようとする課題】
【０００７】
上記自然湿球温度については、ＷＢＧＴ計のＩＳＯ規格制定当初（1982年）から現在に至るまでその内容に変遷がある。すなわち、電子式ＷＢＧＴ計開発当初（1980年代）は、一般に自然湿球温度の言葉の意味は「自然対流下での湿球温度」程度に理解されていた。ここで自然対流下とは無風もしくは微風の状態を指している。
【０００８】
1989年のＩＳＯ7243では当該湿球温度を「自然通風下での湿球温度」とし、上記無風もしくは微風下と同様に強制対流下での風の影響を考慮している。
【０００９】
2017年に上記ＩＳＯ7243は更に改定され、自然湿球温度を「自然環境にさらされた湿球温度」と定義した。ここで「自然環境にさらされた」とは風速と輻射の影響をも考慮することを意味する。
【００１０】
前記した電子式ＷＢＧＴ計は風速計を持たないので、ＷＢＧＴ指数を算出しようとすると、上記いずれの世代においても仮定された風速値の下での自然湿球温度を求める必要があった。また、上記したように標準径（150mm）より小さい任意径の黒球を使用しているので当該任意径の黒球温度を標準径の黒球温度に変換する必要がある。この変換に際しても以下に説明するように風速情報を必要とし、従来はこの場合も仮定された風速値の下での演算式を使用している。
【００１１】
従って、仮定された風速と実際の風速の差が黒球温度や自然湿球温度の誤差となって現れることになる。更に、上記2017年のＩＳＯ7243は、輻射の影響を自然湿球温度に反映させることが盛り込まれているが、この点を実現した電子式ＷＢＧＴ計は今のところ実現されていない。
【００１２】
改正されたＩＳＯに準拠するために風速計を電子式ＷＢＧＴ計に備えさせることが考えられるが、コストデメリットがあることはもちろん、風速計は特殊な校正設備を必要とし壊れやすいと言った問題がある。
【００１３】
本発明は上記従来の事情に鑑みて提案されたものであって、風速と、輻射の要素を反映したＷＢＧＴ指数を得ることができる電子式ＷＢＧＴ計を提供することを目的とするものである。
【課題を解決するための手段】
【００１４】
本発明は上記課題を解決するために以下の手段を採用している。
【００１５】
まず、第１の演算手段で、複数の特定の温熱環境下の気温、平均輻射温度、風速から、電子式ＷＢＧＴ計の任意径の黒球温度をそれぞれの特定の温熱環境について得る。
【００１６】
次いで、第２の演算手段で前記複数の特定の温熱環境下の気温、平均輻射温度、風速から、ＩＳＯ準拠WBGT計の標準径の黒球温度をそれぞれの特定の温熱環境について得る。
【００１７】
更に、第３の演算手段で前記複数の特定の温熱環境下の気温、平均輻射温度、風速、相対湿度から、自然湿球温度をそれぞれの特定の温熱環境について得る。
【００１８】
相関関係決定手段は、前記複数の特定の温熱環境下での気温、任意径の黒球温度、相対湿度を入力とし、対応する標準径の黒球温度、自然湿球温度を出力とするデータ群に基づいて、当該入力と出力の間の相関関係を決定する。
【００１９】
前記、相関関係決定手段は前記入力と出力のデータ群を学習することによって、相関関係を決定することができる。また、前記入力と出力のデータ群の間の相関関係を表す式を決定する。
【００２０】
以上のようにして決定された相関関係は、現実の温熱環境下に置かれ、以下に説明するように、電子式ＷＢＧＴ計の任意径の黒球温度、相対湿度、気温からＩＳＯ準拠ＷＢＧＴ計の標準径の黒球温度、自然湿球温度を算出する測定演算部材に記憶されて、本発明の電子式WBGT計に搭載される。従って、相関関係決定手段で相関関係を決定するまでの手段の組み合わせは、関連付け装置（あるいは手順）として、電子式ＷＢＧＴ計とは別個の装置として捉えることができる。
【００２１】
上記の発明は電子式ＷＢＧＴ計を用いてＩＳＯ準拠のＷＢＧＴ計の出力を得る手順の発明としても捉えることもできる。
【発明の効果】
【００２２】
上記のようにして風速計を持たない電子式ＷＢＧＴ計から、風速および平均輻射温度を反映させた標準径黒球温度、および、自然湿球温度を得ることができ、前記式（１０）、（１１）に基づいて得られるＷＢＧＴ指数にも、当然風速および平均輻射温度を反映させることができることになる。
【図面の簡単な説明】
【００２３】
【図１】本発明の概要を示す概念図である。
【図２】本発明のブロック図である。
【発明を実施するための形態】
【００２４】
＜原理＞
図１は、本願発明の基本概念を示す図である。特定の温熱環境（気温ｔａ、平均輻射温度ｔｒ、風速ｖ、相対湿度ｒｈ）１の下での電子式ＷＢＧＴ計２の示す任意径の黒球温度ｔｇ?は下記式（２）で求めることができる。また、前記と同じ特定の温熱環境１の下におけるＩＳＯ準拠のＷＢＧＴ計３の示す標準径の黒球温度ｔｇSTDは下記式（３）で求めることができる。更に、前記と同じ特定の温熱環境１の下におけるＩＳＯ準拠のＷＢＧＴ計３の示す自然湿球温度ｔｗは下記式（４）（５）で求めることができる。従って、電子式ＷＢＧＴ計２の出力（気温ｔａ、任意径の黒球温度ｔｇ?、相対湿度ｒｈ）と、ＩＳＯ準拠のＷＢＧＴ計３の出力（気温ｔａ、標準径の黒球温度ｔｇSTD、自然湿球温度ｔｗ）は１：１で対応させることができ、相互の相関関係を求めることによって、電子式ＷＢＧＴ計２の出力から、ＩＳＯ準拠のＷＢＧＴ計３の出力を求めることができる。
【００２５】
ＩＳＯ7726 Annex Bには、例えば強制対流下では、黒球温度から平均輻射温度を下記式(1)で求めることができるとしている。
【００２６】
【数１】
0006890847.tif 000002
前記式（１）でいうDは標準径黒球の直径を、またｔｇは前記標準径黒球（以下ではｔｇSTD）についての温度を意味する。また、この式は、任意の黒球径ｄにも適用することができ、熱平衡式として書き直すと、以下の式（２）のようになり、また標準径の黒球についての熱平衡式は、式（３）となる。
【００２７】
【数２】
0006890847.tif 000003
【００２８】
【数３】
0006890847.tif 000004
ここで式（２）に特定の温熱環境下での気温ｔａ、平均輻射温度ｔｒ（Ｔｒ=ｔｒ＋273）、風速ｖ、黒球の径ｄ及び黒球の放射率ε（例えばε=0.90）を入力すると、任意径の黒球温度ｔｇ?を求めることができる。すなわち特定の温熱環境における気温ｔａ、平均輻射温度ｔｒ（Ｔｒ）、風速ｖから任意径の黒球温度ｔｇ?（Ｔｇ?=ｔｇ?＋273）が得られることになる。
【００２９】
また、式（３）に特定の温熱環境下での気温ｔａ、平均輻射温度ｔｒ（Ｔｒ）、風速ｖ、黒球の径Ｄ（＝0.15）及び標準径黒球の放射率（ε＝0.95）を入力すると、標準径の黒球温度ｔｇSTD（Ｔｇ＝ｔｇSTD＋273）を求めることができる。すなわち上記特定の温熱環境における気温ｔａ、平均輻射温度ｔｒ（Ｔｒ）、風速ｖから標準径の黒球温度ｔｇSTD（ＴｇSTD）が得られることになる。
【００３０】
さらに、自然湿球温度の熱平衡式は下記式（４）（ＩＳＯ7243 Annex D）となる。
【００３１】
【数４】
0006890847.tif 000005
ここで、ある温度（ｔ）の下での飽和蒸気圧Pａ(t)はTetensの式より下記式（５）のようになる。
【００３２】
【数５】
0006890847.tif 000006
ここで上記特定の温熱環境における気温ｔａ（Ｔａ）、平均輻射温度ｔｒ（Ｔｒ）、風速ｖ、気温ｔａにおける飽和蒸気圧Ｐａ（ｔａ）、相対湿度ｒｈを入力すると、ＩＳＯ準拠ＷＢＧＴ計の自然湿球温度ｔｗ（Ｔｗ）が得られることになる。
【００３３】
上記によって同一の特定の温熱環境下での、風速と平均輻射温度を反映した、電子式WBGT計の任意径の黒球温度ｔｇ?(Ｔｇ?)と１：１で対応する、ＩＳＯ準拠ＷＢＧＴ計に対応した標準径の黒球温度ｔｇSTD（ＴｇSTD）および自然湿球温度ｔｗ(Ｔｗ)が得られたことになる。このようにして得られた値を基に前記式(10)、(11)を計算することによって、電子式WBGT計の出力に基づいて、風速、平均輻射温度が反映したWBGT指数を得ることができる。
【００３４】
＜データの作成と学習＞
図２は本発明のブロック図を示すものである。
【００３５】
上記に従って、複数の温熱環境のそれぞれについて、気温ｔａ、相対湿度ｒｈとともに電子式ＷＢＧＴ計の任意径の黒球温度ｔｇ?（Ｔｇ?）と１：１で対応する、ＩＳＯ準拠ＷＢＧＴ計に対応した気温ｔａ、標準径の黒球温度ｔｇSTD（ＴｇSTD）および自然湿球温度ｔｗ（Ｔｗ）を求めておくと、以下のようにニューラルネットワーク（相関関係決定手段１４）の学習に利用することができる。
【００３６】
まず、第１の演算手段１１で、個々の温熱環境下での気温ｔａ、風速ｖ、黒球の放射率ε、任意の黒球径ｄ、平均輻射温度Ｔｒを式（２）に入力することによって、径ｄの黒球温度ｔｇ?を得ておく。
【００３７】
ついで、第２の演算手段１２で、個々の温熱環境下での気温ｔａ、風速ｖ、放射率ε（=0.95）、標準の黒球径Ｄ（=0.15）、平均輻射温度Ｔｒを式（３）に入力することによって、標準径の黒球温度ｔｇSTDを得ておく。
【００３８】
ここで、式（２）、式（３）はｔｇ?あるいはｔｇSTDの４次式となるので、ニュートン法を用いて数値的に求めることができる。
【００３９】
さらに、第３の演算手段１３で、個々の温熱環境下での気温ｔａ（Ｔａ）、平均輻射温度Ｔｒ、風速ｖ、相対湿度ｒｈ、気温ｔａにおける飽和蒸気圧Ｐａ（ｔａ）を式（４）に入力することによって、自然湿球温度Ｔｗ（ｔｗ）とそれに対応する飽和蒸気圧Ｐａ（ｔｗ）、を求める。
【００４０】
ここで式（４）、式（５）において、はさみうち法を用いて、２つの未知数Ｔｗ、Ｐａ（ｔｗ）を数値的に同時に求めることができる。あるいは、式（５）を式（４）に代入して、ニュートン法を用いても自然湿球温度Ｔｗ（ｔｗ）を求めることができる。
【００４１】
次いで、ニューラルネットワーク（相関関係決定手段１４）は、上記のようにして得られたそれぞれの温熱環境下での任意径の黒球温度ｔｇ?と気温ｔａ、相対湿度ｒｈを入力とし、標準径の黒球温度ｔｇSTDと自然湿球温度ｔｗを出力とする教師データを学習する。
【００４２】
以上のように、上記入力と出力の相関関係を見出すまでの複数の手段（第１の演算手段１１、第２の演算手段１２、第３の演算手段１３、相関関係決定手段１４）（手順）の構成は、関連付け装置として以下の電子式WBGT計とは別個に捉えることができる。すなわち、関連付け装置では上記のようにして決定された相関関係を測定演算部材１５に記憶させ、当該測定演算部材１５が電子式ＷＢＧＴ計に搭載されて以下のようにＩＳＯ準拠のＷＢＧＴ指数の算出に用いられる。
【００４３】
＜電子式WBGT計＞
上記のように学習した学習済ニューラルネットワークを測定演算部材１５として電子式ＷＢＧＴ計に搭載しておくと、当該測定演算部材１５では、現実の温熱環境における気温ｔａ0、任意径の黒球温度ｔｇ?0、相対湿度ｒｈ0を入力すると、気温ｔａはもとより標準径の黒球温度ｔｇSTD、自然湿球温度ｔｗを得ることになり、しかも、標準径の黒球温度ｔｇSTD、自然湿球温度ｔｗには、風速、平均輻射温度が反映されていることになる。
【００４４】
尚、測定演算部材１５はニューラルネットワークの機能をも備え、自身に入力される新たなデータに基づいて学習し、更に精度を高くすることはもちろんである。
【００４５】
このようにして得られた気温ｔａ、標準径の黒球温度ｔｇSTD、自然湿球温度ｔｗをＷＢＧＴ演算手段１６に入力すると、風速計を備えない電子式WBGT計であっても、風速と平均輻射温度を反映したWBGT指数を得られることになる。
【００４６】
＜検証＞
まず以下の要領で、温熱環境下の訓練データを生成する。
【００４７】
【表１】
0006890847.tif 000007
上記の各項目のデータ数を掛け合わせると、総データ数は64,449個となり、そのうちの50,000個を教師データとし、14,449個をテストデータとする。
【００４８】
上記50,000個を教師データとして学習させた学習済のニューラルネットワーク（測定演算部材１５）に対して上記14,449個のテストデータで推論を行った推定誤差の結果を以下の表２に示す。
【００４９】
【表２】
0006890847.tif 000008
上記から、ＷＢＧＴ指数は任意の風速下で９９％の確率で±0.7℃の誤差範囲で推論できると言える
【００５０】
ここで、上記14,449個のデータについて、任意径の黒球温度ｔｇ?から風速を仮定した黒球の熱平衡式を用いて標準径の黒球温度を算出し、気温ｔａと相対湿度ｒｈを用いてアンゴーの式を基にした自然湿球温度ｔｗを算出する従来の方法を用いた推論結果を示すと以下の表３のようになる。
【００５１】
【表３】
0006890847.tif 000009
本願の方法に比べて、誤差分布はΔＷＢＧＴの標準偏差値の比較で約4.5倍の広がりを持つことが理解できる。
【００５２】
＜実施例＞
上記に基づいて、黒球径が５０ｍｍである電子式ＷＢＧＴ計の示す気温ｔａ、黒球温度ｔｇ50、相対湿度ｒｈを入力として、標準径の黒球温度ｔｇSTD、自然湿球温度ｔｗ、ＷＢＧＴ指数を推論し、対応する正解値と比較すると、表４のごとくになり、本発明による電子式ＷＢＧＴ計で、十分に実用に耐えるＷＢＧＴ指数が得られることが理解できる。
【００５３】
【表４】
0006890847.tif 000010
＜カーブフィッティング＞
上記のようにして複数の特定の温熱環境下での第１の演算手段１１で算出された任意径の黒球温度ｔｇ?、第２の演算手段１２で算出された標準径の黒球温度ｔｇSTD、第３の演算手段１３で算出された自然湿球温度ｔｗは、気温ｔａや相対湿度ｒｈとともに、カーブフィッティングの近似式を決めるデータとして用いることができる。
【００５４】
すなわち、前記気温ｔａと任意径の黒球温度ｔｇ？と、標準径の黒球温度ｔｇSTDとの間には以下の式（６）の近似式を得る。そこで、相関関係決定手段１４は上記のようにして得た気温ｔａ、任意径の黒球温度ｔｇ、標準径の黒球温度ｔｇSTDのデータ群から各項の係数を決定することができる。尚、ここではｔａ、ｔｇ?の２次式としているが、求める精度に応じて次数を増やすことあるいは減らすことは自在である。また、各項の係数を算出する方法は従来から公知であるのでここでは説明を省略する。
【００５５】
【数６】
0006890847.tif 000011
ここで、任意径を５０ｍｍ（ｔｇ50）とし、前記50,000個のデータを用いて各係数を決定すると以下のようになる。
【００５６】
A＝−0.00813305888、Ｂ＝−0.567951826、Ｃ＝−0.0137013277、D＝1.59857015、Ｅ＝0.0214477372、Ｑ＝−0.487003283。
【００５７】
また、気温ｔａ、任意径の黒球温度ｔｇ?、相対湿度ｒｈより以下の式（７）で、自然湿球温度ｔｗを求めることができる。
【００５８】
【数７】
0006890847.tif 000012
そこで、相関関係決定手段１４は上記のようにして得た気温ｔａ、任意径の黒球温度ｔｇ?、相対湿度ｒｈ、自然湿球温度ｔｗのデータ群から、各項の係数を決定することができる。
【００５９】
ここで、任意径を５０ｍｍ（ｔｇ50）とすると、前記50,000個のデータを用いて各係数を決定すると以下のようになる。また、ここではｔａ、ｔｇ、ｒｈについて３次の係数まで求めるようにしているが、状況に応じて次数を増加することあるいは減らすことができる。
【００６０】
A＝−5.01528377×10-5、    Ｂ＝0.0108706541、
Ｃ＝−0.157896135、    D＝0.000109347496、
Ｅ＝−0.0104562755、    F＝0.889654587、
G＝1.60312065×10-6、    H＝‐0.00068305723、
I＝0.105621516、    J＝2.35596747×10-6、
K＝−0.00210613502、    L＝0.00658788765、
M＝−0.00561414292、    Ｑ＝‐7.47427592
このようにして、各式の各項の係数が決定すると、当該各係数の決定した式（６）、式（７）を測定演算部材１５に記憶させておくと、現実の温熱環境下での気温ｔａ0、相対湿度ｒｈ0、任意径の黒球温度ｔｇ?0から、標準径の黒球温度ｔｇSTD、自然湿球温度ｔｗと気温ｔａが得られ、WBGT演算手段１６で、ISO準拠のWBGT指数の出力が得られることになる。
【００６１】
＜検証＞
上記の２つの式を用いて上記14,449個のテストデータで推論を行い、標準径の黒球温度ｔｇSTD、自然湿球温度ｔｗの、前記正解データとの差を表５に示した。
【００６２】
【表５】
0006890847.tif 000013
＜実施例＞
このようにして得られた近似式で、実際の黒球径50mmの電子式WBGT計の示す気温ｔａ、黒球温度ｔｇ50、相対湿度ｒｈを入力して得られる標準径の黒球温度ｔｇSTD、自然湿球温度ｔｗおよびＷＢＧＴ指数と、ISO準拠WBGT計の示す黒球温度ｔｇSTD、自然湿球温度ｔｗ、WBGT指数を示すと、表６に示すようになり、電子式WBGT計を用いても十分に実用に耐える値が得られることが理解できる。
【００６３】
【表６】
0006890847.tif 000014
【産業上の利用可能性】
【００６４】
以上説明したように、本願発明は風速計と湿球を持たない電子式ＷＢＧＴ計において、風速と、平均輻射温度を反映した標準径の黒球温度、自然湿球温度を更にＷＢＧＴ指数を求めることができ、コスト面、装置容量面からみて極めて有効である。
【００６５】
尚、上記した第１〜第３の演算手段、相関関係決定手段、測定演算部材、ＷＢＧＴ演算手段は電子回路あるいはコンピュータと共動するプログラムによって実現することができる。また、電子式ＷＢＧＴ計は通常測定演算部材を装填した状態で流通するが、単独での取引の対象ともなり、それを購入した電子式ＷＢＧＴ計のユーザは当該測定演算部材を電子式ＷＢＧＴ計に装填することになる。
【符号の説明】
【００６６】
１    温熱環境
２    電子式ＷＢＧＴ計
３    ＩＳＯ準拠ＷＢＧＴ計
１１  第１の演算手段
１２  第２の演算手段
１３  第３の演算手段
１４  相関関係決定手段
１５  測定演算部材
１６  ＷＢＧＴ演算手段
ta   :  気温[℃]（ta0  ：  現実の気温）
Ta  ：  ta + 273    気温の絶対温度
v     :   風速[m/s]
tg   :   黒球（グローブ）温度[℃]
Tg  :   黒球の絶対温度（tg + 273）
tgSTD  :  直径150mmの黒球温度
tg?    :   任意の直径の黒球温度（tg?0  ：現実の任意の直径の黒球温度）
tr   :   平均輻射温度[℃] 
Tr  :   平均輻射温度の絶対温度（tr + 273）
tw  :   自然湿球温度
Tw  :   自然湿球温度の絶対温度（tw + 273）
Pa(t) :   温度ｔでの飽和蒸気圧
rh :    相対湿度（rh0 :  現実の相対湿度）
ｄ ;    黒球の直径（任意径）
Ｄ :    標準黒球の直径（標準径=0.15ｍ）
ε :    放射率
【図１】
0006890847.tif 000015
【図２】
0006890847.tif 000016